(57)【要約】【課題】ネットワーク情報アップロード方法、ユーザ機器、ネットワーク側機器及びシステムを提供する。【解決手段】該方法は、ネットワーク側機器がユーザ機器が報告した電力供給能力情報を受信し（Ｓ１０１）、ネットワーク側機器が前記ユーザ機器の電力供給能力情報に基づいて、ネットワークに必要な情報を前記ユーザ機器にアップロードすることを指示し（Ｓ１０２）、ネットワーク側機器が前記ユーザ機器がアップロードした前記ネットワークに必要な情報を受信する（Ｓ１０３）ステップを含む。本発明に提供されるネットワーク情報アップロード方法、ユーザ機器、ネットワーク側機器及びシステムによれば、ユーザ機器の電力供給能力に応じてネットワークに必要な情報を報知し、ネットワークに必要な情報をアップロードすることによって待機時間を短縮し、ユーザが行っているサービスが中断されるという欠陥を回避し、運行コストを低減できる。【選択図】図１
2013539261.tif 000002
【特許請求の範囲】
【請求項１】
ネットワーク側機器は、
ユーザ機器の報告した電力供給能力情報を受信し、
前記電力供給能力情報に基づいて、ネットワークに必要な情報をアップロードすることを前記ユーザ機器に指示し、
前記ユーザ機器のアップロードした前記ネットワークに必要な情報を受信する
ステップを含むことを特徴とするネットワーク情報アップロード方法。
【請求項２】
前記電力供給能力情報に基づいて前記ネットワークに必要な情報を前記ユーザ機器にアップロードすることを指示することは、
前記電力供給能力情報が充電状態であると確定する場合、前記ネットワークに必要な情報を前記ユーザ機器にアップロードすることを指示することであることを特徴とする請求項１に記載の方法。
【請求項３】
前記電力供給能力情報に基づいて前記ネットワークに必要な情報を前記ユーザ機器にアップロードすることを指示した後、
前記ネットワーク側機器が前記ユーザ機器とシグナリングベアラサービスを確立するステップを更に含むことを特徴とする請求項１に記載の方法。
【請求項４】
前記ユーザ機器のアップロードした前記ネットワークに必要な情報を受信した後、
前記ネットワーク側機器が前記ユーザ機器をリリーズするステップを更に含むことを特徴とする請求項３に記載の方法。
【請求項５】
ユーザ機器は、
前記ユーザ機器が充電状態である場合、ネットワーク側機器に電力供給能力情報を報告し、
前記ネットワーク側機器の指示に応じて、前記ネットワーク側機器にネットワークに必要な情報をアップロードする
ステップを含むことを特徴とするネットワーク情報アップロード方法。
【請求項６】
前記ネットワーク側機器の指示に応じて前記ネットワークに必要な情報をアップロードすることは、
前記ユーザ機器が前記ネットワーク側機器へのネットワークに必要な情報のアップロード指示を受信し、前記ネットワーク側機器とのシグナリングベアラサービスを確立し、前記ベアラサービスを介して前記ネットワーク側機器にネットワークに必要な情報をアップロードすることであることを特徴とする請求項５に記載の方法。
【請求項７】
前記ベアラサービスを介して前記ネットワーク側機器にネットワークに必要な情報をアップロードした後、更に、
前記ユーザ機器が前記ネットワークに必要な情報が占めているメモリをクリアし、前記ベアラサービスに対する前記ネットワーク側機器のリリーズを受けるステップを含むことを特徴とする請求項６に記載の方法。
【請求項８】
ユーザ機器の報告した電力供給能力情報を受信する能力情報受信ユニットと、
前記電力供給能力情報に基づいてネットワークに必要な情報を前記ユーザ機器にアップロードすることを指示する指示ユニットと、
前記ユーザ機器のアップロードした前記ネットワークに必要な情報を受信するネットワーク情報受信ユニットと、
を含むことを特徴とするネットワーク側機器。
【請求項９】
前記指示ユニットは、具体的に、前記電力供給能力情報が充電状態であると確定する場合、前記ネットワークに必要な情報を前記ユーザ機器にアップロードすることを指示することを特徴とする請求項８に記載のネットワーク側機器。
【請求項１０】
前記指示ユニットによって前記ユーザ機器に前記ネットワークに必要な情報のアップロードが指示された後、前記ユーザ機器とシグナリングベアラサービスを確立するベアラサービス確立ユニットをさらに含むことを特徴とする請求項８に記載のネットワーク側機器。
【請求項１１】
前記ネットワーク情報受信ユニットが前記ユーザ機器のアップロードした前記ネットワークに必要な情報を受信した後、前記ユーザ機器をリリーズするベアラリリーズユニットをさらに含むことを特徴とする請求項１０に記載のネットワーク側機器。
【請求項１２】
ユーザ機器が充電状態である場合、ネットワーク側機器に電力供給能力情報を報告する能力情報報告ユニットと、
前記ネットワーク側機器の指示に応じて、ネットワークに必要な情報を前記ネットワーク側機器にアップロードするネットワーク情報アップロードユニットと、を含むことを特徴とするユーザ機器。
【請求項１３】
前記ネットワーク情報アップロードユニットは、
前記ネットワーク側機器からのネットワークに必要な情報のアップロード指示を受信する指示受信サブユニットと、
前記ネットワーク側機器とのシグナリングベアラサービスを確立するベアラサービス確立サブユニットと、
前記ベアラサービスを介して前記ネットワーク側機器にネットワークに必要な情報をアップロードするネットワーク情報アップロードサブユニットと、をさらに含むことを特徴とする請求項１２に記載のユーザ機器。
【請求項１４】
前記ネットワーク情報アップロードユニットが、
前記ネットワークに必要な情報が占めているメモリをクリアするメモリクリアサブユニットと、
前記ベアラサービスに対する前記ネットワーク側機器のリリーズを受けるサービスリリーズサブユニットと、をさらに含むことを特徴とする請求項１２に記載のユーザ機器。
【請求項１５】
充電状態である場合、ネットワーク側機器に電力供給能力情報を報告し、前記ネットワーク側機器の指示に応じて前記ネットワーク側機器にネットワークに必要な情報をアップロードするユーザ機器と、
前記ユーザ機器の報告した電力供給能力情報を受信し、前記ユーザ機器の電力供給能力情報に基づいてネットワークに必要な情報を前記ユーザ機器にアップロードすることを指示し、前記ユーザ機器のアップロードした前記ネットワークに必要な情報を受信するネットワーク側機器と、を含むことを特徴とする通信テストシステム。
【請求項１６】
前記ネットワーク側機器は、更に、前記ユーザ機器とシグナリングベアラサービスを確立し、また、前記ユーザ機器が前記ネットワークに必要な情報を報告した後、前記ユーザ機器をリリーズし、
前記ユーザ機器は、更に、前記ネットワーク側機器からのネットワークに必要な情報のアップロード指示を受信し、前記ネットワーク側機器とのシグナリングベアラサービスを確立し、前記ベアラサービスを介して前記ネットワーク側機器にネットワークに必要な情報をアップロードし、また、前記ネットワーク側機器に前記ネットワークに必要な情報をアップロードした後、前記ネットワークに必要な情報が占めているメモリをクリアし、前記ベアラサービスに対する前記ネットワーク側機器のリリーズを受けることを特徴とする請求項１５に記載の通信テストシステム。
【発明の詳細な説明】
【技術分野】
【０００１】
本発明は、通信技術分野に関し、具体的に、長期進化（LTE：Long  Term  Evolution）システムと高級長期進化（LTE-A：Long  Term  Evolution  Advanced）システムにおけるユーザ機器の電力供給能力を用いたネットワーク情報アップロード方法、ユーザ機器、ネットワーク側機器及びシステムに関する。
【背景技術】
【０００２】
従来の移動通信システムにおいて、事業者は、無線ネットワークの運行を保証するため、大量のデータを用いて評価し、有効な調節を行わなければならない。従来のドライブテスト（DT：Drive  Test）は、選定された特定の線路において、テスト車両内でユーザ機器（UE：User  Equipment）によって、例えば送信電力、受信電力、アクセス失敗回数、データサービスのスループット等のテスト指標を収集する１つのドライブテスト方法である。該方法には、事業者にとってコストがアップするという問題点が存在する。
【０００３】
一方、専用のテスト車両とユーザ機器を必要とせずに、今日のネットワークにおける端末装置によって自動的にドライブテスト情報等のネットワークに必要な情報、例えば、必要なドライブテスト情報の最小集合（MDT：Mini  Drive  Test）をアップロードする。ネットワーク構築後の初期において、事業者は契約をユーザと結ぶことで大量のドライブテスト情報等のネットワークに必要な情報（例えば、電話料金統計情報、ハンドオーバー成功率情報等）を収集し、ネットワーク全体の運行状況を評価する。その中で、利用するユーザ機器は携帯電話に限らず、データカード、ネットブック等の他の端末装置にも利用できる。ユーザの該ユーザ機器を利用することに影響せず且つ更に多くのエネルギーを消耗せずに大量のデータをアップロードすることに対し、適切なタイミングを選択してドライブテスト情報を報告する必要がある。
【０００４】
従来技術により提供されるユーザ機器によりドライブテスト情報を自動的にアップロードする方法には、ユーザ機器とネットワーク側機器との間でサービスを提供している場合、無線ネットワークの環境を考慮して、この時、ユーザ機器がドライブテスト情報等のネットワークに必要な情報を報告すると、該ユーザ機器が行っているサービスが中断され、ユーザの該ユーザ機器の体験が悪くなる恐れがある。また、何れの形態でデータをアップロードしても、ユーザ機器が多くのエネルギーを消耗してしまい、該ユーザ機器の待機時間が短くなることが直接体現される。
【発明の概要】
【発明が解決しようとする課題】
【０００５】
本発明は、ネットワークに必要な情報を報告することによって待機時間を短縮し、ユーザが受けているサービスが中断されるという欠陥を回避するように、ユーザ機器の電力供給能力を用いてネットワーク情報のアップロードを行う方法、ユーザ機器、ネットワーク側機器及びシステムを提供することを目的とする。
【課題を解決するための手段】
【０００６】
上記の欠陥を解決するため、本発明は次のように実現される。
本発明は、ネットワーク側機器が、ユーザ機器の報告した電力供給能力情報を受信し、前記電力供給能力情報に基づいて、ネットワークに必要な情報をアップロードすることを前記ユーザ機器に指示し、前記ユーザ機器のアップロードした前記ネットワークに必要な情報を受信するステップを含むネットワーク情報アップロード方法を提供する。
【０００７】
上記技術案において、前記電力供給能力情報に基づいてネットワークに必要な情報を前記ユーザ機器にアップロードすることを指示することは、前記電力供給能力情報が充電状態であると確定する場合、ネットワークに必要な情報を前記ユーザ機器にアップロードすることを指示することである。
【０００８】
上記技術案において、前記電力供給能力情報に基づいてネットワークに必要な情報を前記ユーザ機器にアップロードすることを指示した後、前記ネットワーク側機器が前記ユーザ機器とシグナリングベアラサービスを確立するステップを更に含む。
【０００９】
前記ユーザ機器のアップロードした前記ネットワークに必要な情報を受信した後、前記ネットワーク側機器が前記ユーザ機器をリリーズするステップを更に含む。
【００１０】
本発明によれば、ユーザ機器は、前記ユーザ機器が充電状態である場合、ネットワーク側機器に電力供給能力情報を報告し、ネットワーク側機器の指示に応じて、前記ネットワーク側機器にネットワークに必要な情報をアップロードする他のネットワーク情報アップロード方法を提供する。
【００１１】
上記技術案において、前記ネットワーク側機器の指示に応じてネットワークに必要な情報をアップロードすることは、ユーザ機器が前記ネットワーク側機器へのネットワークに必要な情報のアップロード指示を受信し、前記ネットワーク側機器とのシグナリングベアラサービスを確立し、前記ベアラサービスを介して前記ネットワーク側機器にネットワークに必要な情報をアップロードすることである。
【００１２】
上記技術案において、前記ベアラサービスを介して前記ネットワーク側機器にネットワークに必要な情報をアップロードした後、更に、ユーザ機器が前記ネットワークに必要な情報が占めているメモリをクリアし、前記ベアラサービスに対する前記ネットワーク側機器のリリーズを受けるステップを含む。
【００１３】
本発明によれば、ユーザ機器の報告した電力供給能力情報を受信する能力情報受信ユニットと、前記電力供給能力情報に基づいてネットワークに必要な情報を前記ユーザ機器にアップロードすることを指示する指示ユニットと、前記ユーザ機器がアップロードした前記ネットワークに必要な情報を受信するネットワーク情報受信ユニットと、を含むネットワーク側機器を提供する。
【００１４】
上記技術案において、前記指示ユニットは、具体的に、前記電力供給能力情報が充電状態であると確定する場合、前記ユーザ機器にネットワークに必要な情報をアップロードすることを指示する。
【００１５】
上記技術案において、前記ネットワーク側機器は、前記指示ユニットによって前記ユーザ機器にネットワークに必要な情報のアップロードが指示された後、前記ユーザ機器とシグナリングベアラサービスを更に確立するベアラサービス確立ユニットを含む。
【００１６】
上記技術案において、前記ネットワーク側機器は、前記ネットワーク情報受信ユニットが前記ユーザ機器のアップロードした前記ネットワークに必要な情報を受信した後、前記ユーザ機器をリリーズするベアラリリーズユニットを更に含む。
【００１７】
本発明によれば、前記ユーザ機器が充電状態である場合、ネットワーク側機器に電力供給能力情報を報告する能力情報報告ユニットと、前記ネットワーク側機器の指示に応じて、ネットワークに必要な情報を前記ネットワーク側機器にアップロードするネットワーク情報アップロードユニットと、を含むユーザ機器を提供する。
【００１８】
上記技術案において、前記ネットワーク情報アップロードユニットは、更に、前記ネットワーク側機器からのネットワークに必要な情報のアップロード指示を受信する指示受信サブユニットと、前記ネットワーク側機器とのシグナリングベアラサービスを確立するベアラサービス確立サブユニットと、前記ベアラサービスを介して前記ネットワーク側機器にネットワークに必要な情報をアップロードするネットワーク情報アップロードサブユニットと、を含む。
【００１９】
上記技術案において、前記ネットワーク情報アップロードユニットは、更に、ユーザ機器が前記ネットワークに必要な情報が占めているメモリをクリアするメモリクリアサブユニットと、前記ベアラサービスに対する前記ネットワーク側機器のリリーズを受けるサービスリリーズサブユニットと、を含む。
【００２０】
本発明によれば、充電状態である場合、ネットワーク側機器に電力供給能力情報を報告し、ネットワーク側機器の指示に応じて前記ネットワーク側機器にネットワークに必要な情報をアップロードするユーザ機器と、ユーザ機器の報告した電力供給能力情報を受信し、前記ユーザ機器の電力供給能力情報に基づいてネットワークに必要な情報を前記ユーザ機器にアップロードすることを指示し、前記ユーザ機器がアップロードした前記ネットワークに必要な情報を受信するネットワーク側機器と、を含む通信テストシステムを提供する。
【００２１】
上記技術案において、前記ネットワーク側機器は、更に、前記ユーザ機器とシグナリングベアラサービスを確立し、また、前記ユーザ機器の報告した前記ネットワークに必要な情報を受信した後、前記ユーザ機器をリリーズし、
前記ユーザ機器は、更に、前記ネットワーク側機器からのネットワークに必要な情報のアップロード指示を受信し、前記ネットワーク側機器とのシグナリングベアラサービスを確立し、前記ベアラサービスを介して前記ネットワーク側機器にネットワークに必要な情報をアップロードし、また、前記ネットワーク側機器に前記ネットワークに必要な情報をアップロードした後、前記ネットワークに必要な情報が占めているメモリをクリアし、前記ベアラサービスに対する前記ネットワーク側機器のリリーズを受ける。
【発明の効果】
【００２２】
本発明によれば、ユーザ機器の電力供給能力によるネットワーク情報アップロード方法、ユーザ機器、ネットワーク側機器及びシステムを提供し、ユーザ機器の電力供給能力に応じてネットワークに必要な情報を報告し、ネットワークに必要な情報をアップロードすることによって待機時間を短縮し、ユーザが行っているサービスが中断されるという欠陥を回避し、運行コストを低減できる。
【図面の簡単な説明】
【００２３】
【図１】図１は、本発明の実施例により提供される方法のフローチャートである。
【図２】図２は、本発明の実施例により提供される方法の他のフローチャートである。
【図３】図３は、本発明の実施例により提供される方法の他のフローチャートである。
【図４】図４は、本発明の実施例により提供されるステップ２２０のフローチャートである。
【図５】図５は、本発明の実施例により提供されるネットワーク側機器の構成ブロック図である。
【図６】図６は、本発明の実施例により提供されるネットワーク側機器の他の構成ブロック図である。
【図７】図７は、本発明の実施例により提供されるユーザ機器の構成ブロック図である。
【図８】図８は、本発明の実施例により提供されるネットワーク情報アップロードユニットの構成ブロック図である。
【図９】図９は、本発明の実施例により提供される通信テストシステムの構成ブロック図である。
【発明を実施するための形態】
【００２４】
本発明の目的、技術案及び本発明によるメリットを明確化するように、以下、図面を参照しつつ実施例を結合して本発明を詳しく説明する。ここで、後述の具体的な実施例は、ただ本発明を解釈するためのものであって、本発明を限定するものではない。
【００２５】
本発明の実施例によれば、ネットワーク情報アップロード方法を提供し、図１に示すように、以下のステップを含む。
ネットワーク側機器は、ユーザ機器が報告した電力供給能力情報を受信する（Ｓ１０１）。
【００２６】
ユーザ機器は、非アクセス層（NAS：Non  Access  Stratum）を介して、例えばサービス要求（Service  Request）メッセージなどのメッセージを伝送し、報告するシステムメッセージに選択可能な情報要素（IE：Information  Element）を追加して、例えば周期的な報告又は特定の時間区間内の報告などの報告方式を設定することができる。
【００２７】
ネットワーク側機器は、前記電力供給能力情報に基づいて、ネットワークに必要な情報をアップロードすることを前記ユーザ機器に指示する（Ｓ１０２）。
【００２８】
具体的には、上記電力供給能力情報から充電状態であるか否かを判定し、ＹＥＳである場合、ネットワークに必要な情報をアップロードすることを上記ユーザ機器に指示し、ＮＯである場合、該電力供給能力情報の報告フローを終了する。
【００２９】
ネットワーク側機器は、前記ユーザ機器がアップロードした前記ネットワークに必要な情報を受信する（Ｓ１０３）。
【００３０】
異常が発生した場合、例えば、情報のアップロード中に、前記充電（通常は、外部充電）状態が中断され、且つユーザ機器自体の電池能力が残りの情報の伝送に不充分である場合、前記ネットワークに必要な情報のアップロードを中断する。
【００３１】
本実施例の方法によれば、ユーザ機器の電力供給能力に基づいてネットワークに必要な情報を報告する。例えば、充電時に、ネットワークに必要な情報を報告し、ネットワークに必要な情報をアップロードすることによって待機時間を短縮し、ユーザが行っているサービスが中断されるという問題を回避し、運行コストを低減できる。
【００３２】
更なる実施例において、図２に示すように、ステップＳ１０２の次に、ネットワーク側機器が前記ユーザ機器とシグナリングベアラサービスを確立するステップ（Ｓ１０４）を更に含む。また、該実施例において、上記ステップＳ１０３の次に、ネットワーク側機器が前記ユーザ機器をリリーズするステップ（Ｓ１０５）を更に含むことができる。これによって、該ユーザ機器とネットワーク側機器との間の不要なベアラサービスを回避することができる。
【００３３】
本発明の実施例によれば、他のネットワーク情報アップロード方法を提供し、図３に示すように、次のステップを含む。
充電状態である場合、ユーザ機器は、ネットワーク側機器に電力供給能力情報を報告する（Ｓ２１０）。
【００３４】
ユーザ機器は、ネットワーク側機器の指示に応じて、前記ネットワーク側機器にネットワークに必要な情報をアップロードする（Ｓ２２０）。図４に示すように、該ステップＳ２２０は具体的に以下のステップを含む。
ユーザ機器は、ネットワーク側機器から送信されたネットワークに必要な情報のアップロード指示を受信する（Ｓ２２１）。
【００３５】
ユーザ機器は、前記ネットワーク側機器とのシグナリングベアラサービスを確立する（Ｓ２２２）。
【００３６】
前記ベアラサービスを介して、前記ネットワーク側機器にネットワークに必要な情報をアップロードする（Ｓ２２３）。
【００３７】
また、該実施例において、ステップＳ２２３の次、更に次のステップを含む。
ユーザ機器が、前記ネットワークに必要な情報が占めているメモリをクリアする（Ｓ２２４）。
【００３８】
ユーザ機器が、前記ネットワーク側機器の前記ベアラサービスに対するリリーズを受け付ける（Ｓ２２５）。
【００３９】
本実施例の方法によれば、例えば充電状態である時にネットワークに必要な情報を報告するように、ユーザ機器の電力供給能力に基づいてネットワークに必要な情報を報告し、ネットワークに必要な情報をアップロードすることによって待機時間を短縮し、ユーザが行っているサービスが中断されるという問題を回避し、運行コストを低減できる。
【００４０】
以下、上記方法を結合して該方法の応用実施例を説明する。
応用実施例１
ユーザ機器は、無線リソース制御＿アイドリング（RRC_IDLE）状態にある。
【００４１】
ユーザ機器の上位階層（コアプロセッサ）は、その下位階層（外部周辺部品）から送信されたユーザ機器が充電状態にある報告を受信し、ユーザ機器に上記ネットワーク側へサービス要求を発することを指示する（第１ステップ）。その中、上記サービス要求情報に該ユーザ機器の電力供給能力情報が含まれる。
【００４２】
コアネットワークは、該ユーザ機器の電力供給能力情報を受信し、該電力供給能力情報を判定する（第２ステップ）。
【００４３】
コアネットワークは、判定結果に応じてユーザ機器が充電状態にあると確定する場合、ユーザ機器にドライブテスト情報等のネットワークに必要な情報をアップロードすることを指示し（第３ステップ）、そうではない場合、第６ステップに移行する。
【００４４】
ユーザ機器は、ドライブテスト情報等のネットワークに必要な情報のアップロード指示を受信し、ネットワーク側とのシグナリングベアラサービスを確立する（第４ステップ）。
【００４５】
ユーザ機器は、該ベアラサービスでネットワーク側にドライブテスト情報等のネットワークに必要な情報をアップロードし、完成した後、該ユーザ機器は、ドライブテスト情報等のネットワークに必要な情報が占めているメモリをクリアし、その後、コアネットワークは、該ユーザ機器をリリーズすることを発する（第５ステップ）。
その後、終了する（第６ステップ）。
【００４６】
応用実施例２
ユーザ機器は、無線リソース制御＿接続（RRC_CONNECTED）状態である。
【００４７】
ユーザ機器の上位階層は、下位階層から送信されたユーザ機器が充電状態である報告を受信し、ユーザ機器の電力供給能力を含むベアラリソース配分要求を発することを指示する（第１ステップ）。
【００４８】
コアネットワークは、受信したユーザ機器の電力供給能力情報を判定する（第２ステップ）。
【００４９】
コアネットワークは、判定結果に応じてユーザ機器が充電状態にあると確定する場合、該ユーザ機器にドライブテスト情報等のネットワークに必要な情報をアップロードすることを指示し（第３ステップ）、そうではない場合、第６ステップに移行する。
【００５０】
ユーザ機器は、ドライブテスト情報等のネットワークに必要な情報のアップロード指示を受信し、該ネットワーク側との専用のシグナリングベアラサービスを確立する（第４ステップ）。
【００５１】
ユーザ機器は、専用のシグナリングベアラサービス上でネットワーク側にドライブテスト情報等のネットワークに必要な情報をアップロードし、完成した後、ユーザ機器は、ドライブテスト情報等のネットワークに必要な情報が占めているメモリをクリアし、その後、コアネットワークは、該専用のシグナリングベアラサービスをリリーズすることを発する（第５ステップ）。
その後、終了する（第６ステップ）。
【００５２】
応用実施例３
ユーザ機器は、無線リソース制御＿接続状態である。
【００５３】
ユーザ機器は、電力供給能力情報を周期的に報告する（第１ステップ）。
【００５４】
コアネットワークは、受信したユーザ機器の電力供給能力情報を判定する（第２ステップ）。
【００５５】
コアネットワークは、判定結果に基づいて、ユーザ機器が充電状態であると確定した場合、ドライブテスト情報等のネットワークに必要な情報をアップロードすることをユーザ機器に指示し、専用のシグナリングベアラサービスを確立することを主動的に発し（第３ステップ）、そうではない場合、第６ステップに移行する。
【００５６】
ユーザ機器は、ドライブテスト情報等のネットワークに必要な情報のアップロード指示を受信し、ネットワーク側との専用のシグナリングベアラサービスを確立する（第４ステップ）。
【００５７】
ユーザ機器は、専用のベアラサービス上でネットワーク側にドライブテスト情報等のネットワークに必要な情報をアップロードし、完成した後、該ユーザ機器は、ドライブテスト情報等のネットワークに必要な情報が占めているメモリをクリアし、その後、コアネットワークは、該専用のシグナリングベアラサービスをリリーズすることを発する（第５ステップ）。
その後、終了する（第６ステップ）。
【００５８】
応用実施例４
ユーザ機器は、無線リソース制御＿アイドリング状態である。
【００５９】
ユーザ機器は、コアネットワークから送信された、電力供給能力情報を報告することをユーザ機器に指示する情報を携帯したページングメッセージを受信する（第１ステップ）。
【００６０】
ユーザ機器は、ページングメッセージを受信した後、ユーザ機器の電力供給能力情報を含むサービス要求を発する（第２ステップ）。
【００６１】
コアネットワークは、受信したユーザ機器の電力供給能力情報を判定する（第３ステップ）。
【００６２】
コアネットワークは、判定結果に基づいて、ユーザ機器が「充電」状態であると確定する場合、ドライブテスト情報等のネットワークに必要な情報をアップロードすることをユーザ機器に指示し、専用のシグナリングベアラサービスの確立を主動的に発し（第４ステップ）、そうではない場合、第７ステップに移行する。
【００６３】
ユーザ機器は、ドライブテスト情報等のネットワークに必要な情報のアップロード指示を受信し、ネットワーク側とのシグナリングベアラサービスを確立する（第５ステップ）。
【００６４】
ユーザ機器は、ベアラサービスでネットワーク側にドライブテスト情報等のネットワークに必要な情報をアップロードし、完成した後、該ユーザ機器は、ドライブテスト情報等のネットワークに必要な情報が占めているメモリをクリアし、その後、コアネットワークは、該ユーザ機器をリリーズすることを発する（第６ステップ）。
その後、終了する（第７ステップ）。
【００６５】
図５に示すように、本発明の実施例によれば、能力情報受信ユニット５１０と指示ユニット５２０とネットワーク情報受信ユニット５３０とを含むネットワーク側機器を更に提供する。そのうち、能力情報受信ユニット５１０は、ユーザ機器が報告した電力供給能力情報を受信し、指示ユニット５２０は、上記電力供給能力情報に基づいてネットワークに必要な情報をアップロードすることを上記ユーザ機器に指示し、ネットワーク情報受信ユニット５３０は、上記ユーザ機器のアップロードした上記ネットワークに必要な情報を受信する。
【００６６】
前記指示ユニット５２０は、具体的に、上記電力供給能力情報が充電状態であるか否かを判定し、ＹＥＳである場合、ネットワークに必要な情報をアップロードすることを上記ユーザ機器に指示し、ＮＯである場合、該電力供給能力情報の報告フローを終了する。
【００６７】
更なる実施例において、図６に示すように、上記ネットワーク側機器は、更に、指示ユニット５２０によって前記ユーザ機器にネットワークに必要な情報のアップロードが指示された後、上記ユーザ機器とシグナリングベアラサービスを確立するベアラサービス確立ユニット５４０を含む。
【００６８】
更なる実施例において、上記ネットワーク側機器は、更に、ネットワーク情報受信ユニット５３０で前記ユーザ機器によってアップロードされた前記ネットワークに必要な情報を受信した後、上記ユーザ機器をリリーズするベアラリリーズユニット５５０を含む。
【００６９】
本実施例により提供されるネットワーク側機器によれば、ユーザ機器の電力供給能力に応じてネットワークに必要な情報を報告し、例えば充電状態である時にネットワークに必要な情報を報告し、ネットワークに必要な情報をアップロードすることによって待機時間を短縮し、ユーザが行っているサービスが中断されるという問題を回避し、運行コストを低減できる。
【００７０】
図７に示すように、本発明の実施例によれば、前記ユーザ機器が充電状態である場合、ネットワーク側機器に電力供給能力情報を報告する能力情報報告ユニット６１０と、ネットワーク側機器の指示に応じて上記ネットワーク側機器にネットワークに必要な情報をアップロードするネットワーク情報アップロードユニット６２０と、を含むユーザ機器を提供する。
【００７１】
図８に示すように、具体的な実施例において、上記ネットワーク情報アップロードユニット６２０は、更に、上記ネットワーク側機器から送信されたネットワークに必要な情報のアップロード指示を受信する指示受信サブユニット６２１と、上記ネットワーク側機器とのシグナリングベアラサービスを確立するベアラサービス確立サブユニット６２２と、上記ベアラサービスを介して上記ネットワーク側機器にネットワークに必要な情報をアップロードするネットワーク情報アップロードサブユニットと、を含む。
【００７２】
図８に示すように、更なる実施例において、上記ネットワーク情報アップロードユニット６２０は、更に、上記ネットワークに必要な情報が占めているメモリをクリアするメモリクリアサブユニット６２３と、上記ベアラサービスに対する上記ネットワーク側機器のリリーズを受け入れるサービスリリーズサブユニット６２４と、を含む。
【００７３】
本実施例により提供されるユーザ機器によれば、ユーザ機器の電力供給能力に応じてネットワークに必要な情報を報告し、例えば充電状態である時にネットワークに必要な情報を報告し、ネットワークに必要な情報をアップロードすることによって待機時間を短縮し、ユーザが行っているサービスが中断されるという問題を回避し、運行コストを低減できる。
【００７４】
図９に示すように、本発明の実施例によれば、該ユーザ機器は、ユーザ機器８０１とネットワーク側機器８０２とを含む通信テストシステムを提供する。ユーザ機器８０１は、充電状態である場合、ネットワーク側機器８０２に電力供給能力情報を報告し、ネットワーク側機器８０２の指示に応じて、上記ネットワーク側機器８０２にネットワークに必要な情報をアップロードする。ネットワーク側機器８０２は、ユーザ機器８０１が報告した電力供給能力情報を受信し、上記ユーザ機器８０１の電力供給能力情報に基づいて、ネットワークに必要な情報をアップロードすることを上記ユーザ機器８０１に指示し、上記ユーザ機器８０１がアップロードした上記ネットワークに必要な情報を受信する。
【００７５】
更なる実施例において、
上記ネットワーク側機器８０２は、更に、上記ユーザ機器８０１とのシグナリングベアラサービスを確立し、また、上記ユーザ機器８０１の報告済みの上記ネットワークに必要な情報を受信した後、上記ユーザ機器８０１をリリーズし、
上記ユーザ機器８０１は、更に、上記ネットワーク側機器８０２から送信されるネットワークに必要な情報のアップロード指示を受信し、上記ネットワーク側機器８０２とのシグナリングベアラサービスを確立し、上記ベアラサービスを介して上記ネットワーク側機器８０２にネットワークに必要な情報をアップロードし、また、上記ネットワーク側機器８０２に上記ネットワークに必要な情報をアップロードした後、上記ネットワークに必要な情報が占めているメモリをクリアし、上記ベアラサービスに対する上記ネットワーク側機器８０２のリリーズを受けつける。
【００７６】
本実施例により提供されるシステムによれば、ユーザ機器８０１の電力供給能力に応じてネットワークに必要な情報を報告し、例えば充電状態である時にネットワークに必要な情報を報告し、ネットワークに必要な情報をアップロードすることによって待機時間を短縮し、ユーザが行っているサービスが中断されるという問題を回避し、運行コストを低減できる。
【００７７】
以上は、本発明の好適な実施例に過ぎず、本発明を限定するものではない。当業者であれば本発明に様々な修正や変形が可能である。本発明の精神や原則内でのすべての修正、置換、改良などは本発明の保護範囲内に含まれる。
【図１】
2013539261.tif 000003
【図２】
2013539261.tif 000004
【図３】
2013539261.tif 000005
【図４】
2013539261.tif 000006
【図５】
2013539261.tif 000007
【図６】
2013539261.tif 000008
【図７】
2013539261.tif 000009
【図８】
2013539261.tif 000010
【図９】
2013539261.tif 000011
【国際調査報告】
2013539261.tif 000012
2013539261.tif 000013
2013539261.tif 000014
2013539261.tif 000015